(57)【要約】【課題】イメージインテンシファイアを備えるＸ線診断装置において、カセッテを用いたＸ線撮影時の作業性を向上させることができるカセッテトレー装置を提供する。【解決手段】カセッテトレー装置において、被検体が載置される天板とこの天板に対向する位置に配置されるイメージインテンシファイア５との間に設けられるトレー収容部１２と、カセッテを着脱可能に保持し、トレー収容部１２内に収容される収容位置とトレー収容部１２内から引き出される引出位置との間をスライド可能にトレー収容部１２に取付けられるカセッテトレー１４と、カセッテトレー１４に設けられ、サイズや向きが異なるカセッテを位置固定に保持する複数のストッパ１５、１６、１７と、を備える。【選択図】    図２
2008125997.tif 000002
【特許請求の範囲】
【請求項１】
被検体が載置される天板とこの天板に対向する位置に配置されるイメージインテンシファイアとの間に設けられるトレー収容部と、
カセッテを着脱可能に保持し、前記トレー収容部内に収容される収容位置と前記トレー収容部内から引き出される引出位置との間をスライド可能に前記トレー収容部に取付けられるカセッテトレーと、
前記カセッテトレーに設けられ、サイズや向きが異なる前記カセッテを位置固定に保持する複数のストッパと、
を備えることを特徴とするカセッテトレー装置。
【請求項２】
前記カセッテトレーの底面部に、前記イメージインテンシファイアが挿入可能な切欠きが形成されていることを特徴とする請求項１記載のカセッテトレー装置。
【請求項３】
前記ストッパは、保持する前記カセッテのサイズや向き応じて移動可能に設けられていることを特徴とする請求項１又は２記載のカセッテトレー装置。
【請求項４】
被検体が載置される天板と、
前記天板の片面に対向する位置に配置されるＸ線管と、
前記天板を挟んで前記Ｘ線管に対向する位置に配置されるイメージインテンシファイアと、
前記天板と前記イメージインテンシファイアとの間に設けられる請求項１ないし３のいずれか一記載のカセッテトレー装置と、
を備えることを特徴とするＸ線診断装置。
【発明の詳細な説明】
【技術分野】
【０００１】
本発明は、カセッテトレー装置及びＸ線診断装置に関し、特に、イメージインテンシファイアを備えるＸ線診断装置において使用されるカセッテトレー装置及びこのカセッテトレー装置を備えるＸ線診断装置に関する。
【背景技術】
【０００２】
例えば、下記特許文献１に記載されているように、イメージインテンシファイアとカセッテとを併用可能なＸ線診断装置が知られている。
【０００３】
このようなＸ線診断装置におけるカセッテを装着する構造として、下記特許文献２に記載されているように、カセッテを保持したカセッテトレーをトレー収容部に着脱する構造が知られている。
【特許文献１】特開２００６−７５２６５号公報
【特許文献２】実開平５−２９５０７号公報
【発明の開示】
【発明が解決しようとする課題】
【０００４】
しかしながら、前述の特許文献１、２に記載された発明においては、以下の点について配慮がなされていない。
【０００５】
カセッテは複数のサイズがあり、各サイズのカセッテを保持するために複数種類のカセッテトレーを準備する必要がある。
【０００６】
さらに、準備した複数種類のカセッテトレーを保管する場所を確保する必要がある。
【０００７】
また、カセッテを保持したカセッテトレーは数キログラムの重量物となる。このため、カセッテを保持したカセッテトレーを持ち運ぶ作業、及び、カセッテを保持したカセッテトレーをトレー収容部に着脱する作業は、Ｘ線診断装置を扱うユーザーにとって負担となっている。
【０００８】
また、天板とイメージインテンシファイアとの間にトレー収容部が設けられることにより、イメージインテンシファイアと天板上の被検体との間の距離が大きくなる。インテンシファイアと被検体との間の距離が大きくなると、Ｘ線管から照射されて被検体を透過するＸ線のうち、イメージインテンシファイアに入射されずに散乱する量が増え、イメージインテンシファイアにより撮影される画像の品質が低下する。
【０００９】
本発明はこのような課題を解決するためになされたもので、その目的は、イメージインテンシファイアを備えるＸ線診断装置において、カセッテを用いたＸ線撮影時の作業性を向上させることができるカセッテトレー装置及びＸ線診断装置を提供することである。
【課題を解決するための手段】
【００１０】
本発明の実施の形態に係る第１の特徴は、カセッテトレー装置において、被検体が載置される天板とこの天板に対向する位置に配置されるイメージインテンシファイアとの間に設けられるトレー収容部と、カセッテを着脱可能に保持し、前記トレー収容部内に収容される収容位置と前記トレー収容部内から引き出される引出位置との間をスライド可能に前記トレー収容部に取付けられるカセッテトレーと、前記カセッテトレーに設けられ、サイズや向きが異なる前記カセッテを位置固定に保持する複数のストッパと、を備えることである。
【００１１】
本発明の実施の形態に係る第２の特徴は、Ｘ線診断装置において、被検体が載置される天板と、前記天板の片面に対向する位置に配置されるＸ線管と、前記天板を挟んで前記Ｘ線管に対向する位置に配置されるイメージインテンシファイアと、前記天板と前記イメージインテンシファイアとの間に設けられる第１の特徴に係るカセッテトレー装置と、を備えることである。
【発明の効果】
【００１２】
本発明によれば、使用するカセッテのサイズや向きが異なる場合でも１つのカセッテトレーを使用することができ、さらに、カセッテを用いるＸ線撮影時にはカセッテのみを持ち運んでカセッテトレーに着脱すればよく、カセッテを用いたＸ線撮影時の作業性を向上させることができる。
【発明を実施するための最良の形態】
【００１３】
以下、本発明の一実施の形態に係るカセッテトレー装置及びこのカセッテトレー装置を備えるＸ線診断装置について、図面を用いて説明する。 
Ｘ線診断装置１は、図１に示すように、被検体Ｐが載置される天板２と、この天板２を移動可能に支持する基台３と、被検体Ｐが載置される面である天板２の上面に対向する位置に配置されるＸ線管４と、天板２を挟んでＸ線管４に対向する位置である天板２の下側に配置されたイメージインテンシファイア５と、イメージインテンシファイア５の下側に接続されたテレビカメラ６と、天板２とイメージインテンシファイア５との間に設けられたカセッテトレー装置７とを備えている。イメージインテンシファイア５とテレビカメラ６とには昇降駆動部８が連結され、イメージインテンシファイア５とテレビカメラ６とは昇降駆動部８により昇降可能とされている。イメージインテンシファイア５とテレビカメラ６と昇降駆動部８とカセッテトレー装置７とは、基台３内に組み込まれている。
【００１４】
Ｘ線診断装置１には、このＸ線診断装置１の各部を制御する制御装置９が設けられている。Ｘ線管４は、高電圧発生装置１０を介して制御装置９に接続され、イメージインテンシファイア５とテレビカメラ６と昇降駆動部８とはそれぞれドライバ（図示せず）を介して制御装置９に接続されている。
【００１５】
Ｘ線管４は、天板２に載置された被検体Ｐに対してＸ線を照射する。イメージインテンシファイア５は、被検体Ｐを透過したＸ線が入射され、入射されたＸ線の画像を可視光像に変換する。テレビカメラ６は、イメージインテンシファイア５から放射される可視光像に応じた画像信号を生成する。制御装置９には、テレビカメラ６で生成された画像信号に応じた画像を表示可能なディスプレイ装置１１が接続されている。
【００１６】
カセッテトレー装置７は、図２に示すように、天板２とイメージインテンシファイア５との間に設けられたトレー収容部１２と、トレー収容部１２内に収容される収容位置とトレー収容部１２内から引き出される引出位置との間をスライド機構１３によりスライド可能にトレー収容部１２に取付けられたカセッテトレー１４と、カセッテトレー１４に設けられた複数のストッパ１５、１６、１７とを備えている。カセッテトレー１４は、サイズや向き（縦向き、横向き）の異なる複数種類のカセッテ１８が着脱可能に保持し、保持したカセッテ１８をストッパ１５、１６、１７によって固定している。
【００１７】
カセッテトレー１４の底面部には、イメージインテンシファイア５の上端部が挿入可能なサイズの切欠き１９が形成されている。カセッテトレー１４にカセッテ１８が保持されていない場合に昇降駆動部８を上昇方向に駆動させることにより、図４（ｂ）に示すようにイメージインテンシファイア５の上端部が切欠き１９内に入り込み、イメージインテンシファイア５と天板２上の被検体Ｐとの間の距離が小さくなる。
【００１８】
ストッパ１５は、図７及び図８に示すように、カセッテトレー１４の底面部の上面側に配置されたストッパ本体１５ａと、カセッテトレー１４の底面部の下面側に配置されたガイド部１５ｂと、ストッパ本体１５ａとガイド部１５ｂとを連結する連結部１５ｃと、浮上り防止爪１５ｄとから形成されている。カセッテトレー１４の底面部にはスライド溝２０が形成され、連結部１５ｃがスライド溝２０に挿通されている。スライド溝２０には、２つの拡径部２０ａ、２０ｂが形成されている。なお、図７（ａ）及び図８（ａ）は、カセッテトレー１４の底面部を上方から見た斜視図であり、図７（ｂ）及び図８（ｂ）は、カセッテトレー１４の底面部を下方から見た斜視図である。
【００１９】
連結部１５ｃは、スライド溝２０内をスライド可能な直径に形成された細径部１５ｅとスライド溝２０内のスライドが不可能であって拡径部２０ａ、２０ｂに対して係合可能な大径部１５ｆとを有している。また、連結部１５ｃは上下方向にスライド可能に設けられ、大径部１５ｆが拡径部２０ａ、２０ｂに係合する向きに付勢されている。図７に示す状態は、大径部１５ｆが拡径部２０ｂに係合され、ストッパ１５がスライド溝２０に沿ってスライドすることが規制されて位置固定されている状態である。
【００２０】
連結部１５ｃの頂部を図８に示すように下向きに押圧すると、連結部１５ｃが下向きにスライドして大径部１５ｆと拡径部２０ｂとの係合が外れ、細径部１５ｅが拡径部２０ｂに対向する位置に移動し、ストッパ１５がスライド溝２０に沿ってスライド可能となる。ストッパ１５を目的とするスライド位置にスライドさせた後、連結部１５ｃの頂部の押圧を止めると、ストッパ１５は大径部１５ｆが拡径部２０ａ又は２０ｂに係合する位置にスライドして図７に示す状態に戻り、ストッパ１５が位置固定される。
【００２１】
浮上り防止爪１５ｄは、図７及び図８に示す矢印Ａ−Ｂ方向にスライド可能に設けられ、矢印Ｂ方向にスライドしてストッパ本体１５ａの縁部から突出する方向に付勢されている。浮上り防止爪１５ｄが図７及び図８に示すようにストッパ本体１５ａの縁部から突出している場合、この浮上り防止爪１５ｄがカセッテトレー１４上に保持されるカセッテ１８の縁部を上方から押さえ、カセッテ１８がカセッテトレー１４の底面部から浮上ることを防止している。浮上り防止爪１５ｄを矢印Ａ方向にスライドさせることにより、浮上り防止爪１５ｄの縁部をストッパ本体１５ａの縁部から突出しない位置に移動させることができ、保持しているカセッテ１８をカセッテトレー１４から取り出すことが可能となる。
【００２２】
ストッパ１６は、図９に示すように、カセッテトレー１４の底面部に支軸２１を支点として回動可能に取付けられている。カセッテトレー１４の底面部には、支軸２１を中心とする約９０°の範囲に円弧状のガイド溝２２が形成され、ストッパ１６にはガイド溝２２にスライド可能に係合する突起部（図示せず）が設けられている。ストッパ１６を支軸２１を支点として回動させた場合、突起部がガイド溝２２内をスライドする。さらに、ストッパ１６におけるカセッテトレー１４の底面部に対向する位置には、出没可能なボールプランジャ（図示せず）が設けられている。カセッテトレー１４の底面部には、ストッパ１６をガイド溝２２の両端部に回動させた場合にボールプランジャが弾発的に係合される一対の係合穴２３が形成されている。ストッパ１６をガイド溝２２の端部まで回動させてボールプランジャが係合穴２３に係合された場合、この係合によりストッパ１６が位置固定される。なお、係合穴２３へのボールプランジャの係合力の大きさは、ストッパ１６に対して回動方向の力を加えることにより、容易に係合を解除することが可能な大きさである。
【００２３】
ストッパ１７は、図１０及び図１１に示すように、カセッテトレー１４の底面部に上下方向回動可能に取付けられ、トグルスプリング２４が設けられている。ストッパ１７は、通常時には図１０及び図１１（ａ）に示すように、トグルスプリング２４の付勢力によりカセッテトレー１４の上面より上方に突出する位置に回動している。ストッパ１７がカセッテトレー１４の上面より上方に突出する位置に回動している場合、図３及び図５に示すようにストッパ１７の側面が保持するカセッテ１８の側面に当接し、カセッテ１８の保持に寄与する。ストッパ１７の上にカセッテ１８が載せられた場合、ストッパ１７は図１１（ｂ）に示す位置に回動し、この回動位置においてストッパ１７の上端となる部分がカセッテトレー１４の底面部と同一面に位置する。
【００２４】
このような構成において、このＸ線診断装置１では、イメージインテンシファイア５を用いたＸ線撮影と、カセッテ１８を用いたＸ線撮影とを行うことができる。
【００２５】
カセッテ１８を用いたＸ線撮影を行う場合は、トレー収容部１２に収容されているカセッテトレー１４を図２に示すように引出位置に引出し、図３に示すようにカセッテトレー１４上にカセッテ１８を保持する。カセッテトレー１４上に保持したカセッテ１８は、ストッパ１５、１６、１７を用いて位置固定する。カセッテ１８を保持したカセッテトレー１４をトレー収容部１２内の収容位置にスライドさせ、図示しないロック機構でロックする。
【００２６】
ストッパ１５、１６、１７は、カセッテトレー１４上に保持するカセッテ１８のサイズや向きに応じて移動可能に設けられているため、これらのストッパ１５、１６、１７を用いて各種サイズやカセッテトレー１４上に保持する場合の向きが異なるカセッテ１８を保持することができる。図５は、大角サイズ（１４インチ×１４インチ）のカセッテ１８を保持した状態である。図６は、半切サイズ（１４インチ×１７インチ）のカセッテ１８を縦向きに保持した状態である。図７は、半切サイズ（１４インチ×１７インチ）のカセッテ１８を横向きに保持した状態である。
【００２７】
このため、サイズの異なるカセッテ１８や向きを変えたカセッテ１８を用いる場合に、それらのカセッテ１８を１つのカセッテトレー１４に保持することができ、カセッテ１８のサイズに応じた複数のカセッテトレーを準備する必要がない。また、カセッテ１８を用いるＸ線撮影時には、カセッテ１８のみを持ち運び、及び、持ち運んだカセッテ１８をカセッテトレー１４に対して着脱すればよいので、持ち運んだり着脱する対象物が軽量になり、カセッテ１８を用いたＸ線撮影時の作業性が向上する。
【００２８】
イメージインテンシファイア５を用いたＸ線撮影を行う場合は、カセッテ１８を保持しないカセッテトレー１４をトレー収容部１２内の収容位置へスライドさせ、図示しないロック機構でロックする。
【００２９】
その後、昇降駆動部８を作動させ、イメージインテンシファイア５をテレビカメラ６と供に上昇させ、図４（ｂ）に示すように、イメージインテンシファイア５の上端部をカセッテトレー１４の切欠き１９内に入り込ませる。これにより、イメージインテンシファイア５と天板２上の被検体Ｐとの間の距離が小さくなり、Ｘ線管４から照射されて被検体Ｐを透過するＸ線のうち、イメージインテンシファイア５に入射されずに散乱する量が減り、イメージインテンシファイア５により撮影される画像の品質が向上する。
【図面の簡単な説明】
【００３０】
【図１】本発明の一実施の形態に係るＸ線画像診断装置の概略を示すブロック図である。
【図２】カセッテを保持していないカセッテトレー装置を示す斜視図である。
【図３】カセッテを保持したカセッテトレー装置を示す斜視図である。
【図４】カセッテトレーとイメージインテンシファイアとの位置関係を示す縦断正面図である。
【図５】異なるサイズのカセッテを保持したカセッテトレー装置を示す斜視図である。
【図６】向きを変えたカセッテを保持したカセッテトレー装置を示す斜視図である。
【図７】位置固定された１つ目のストッパを示す斜視図である。
【図８】スライド可能な状態とされた１つ目のストッパを示す斜視図である。
【図９】２つ目のストッパを示す斜視図である。
【図１０】３つ目のストッパを示す斜視図である。
【図１１】３つ目のストッパの移動状態を示す縦断側面図である。
【符号の説明】
【００３１】
２…天板、４…Ｘ線管、５…イメージインテンシファイア、１２…トレー収容部、１４…カセッテトレー、１５、１６、１７…ストッパ、１８…カセッテ、１９…切欠き
【図１】
2008125997.tif 000003
【図２】
2008125997.tif 000004
【図３】
2008125997.tif 000005
【図４】
2008125997.tif 000006
【図５】
2008125997.tif 000007
【図６】
2008125997.tif 000008
【図７】
2008125997.tif 000009
【図８】
2008125997.tif 000010
【図９】
2008125997.tif 000011
【図１０】
2008125997.tif 000012
【図１１】
2008125997.tif 000013